(57)【要約】【課題】ホールド型表示装置において、１フレーム期間内に黒画面を挿入し、現フレーム画像とその前のフレームの残像との重なり認識による動画ボケを軽減し動画像の画質を改善するとともに、１フレーム期間に対する黒挿入率を個々の使用状況に適した値に設定する。【解決手段】ゲートドライバ５Ａ〜５Ｎそれぞれへのイネーブル信号（ＶＯＥ）を独立して制御し、ゲートドライバ５Ａに対して、１フレーム期間内の任意のタイミングに黒信号書込みのためのスタートパルス（ＶＳＰ）入力を行い、１フレーム期間内に黒画像を挿入する。【選択図】図１
2014032412.tif 000002
【特許請求の範囲】
【請求項１】
表示パネルのソース線及びゲート線へ入力する映像信号を制御することで、表示パネルに映像を表示するホールド型画像表示システムであって、
前記ソース線に映像信号を出力するソースドライバと、
前記ゲート線に走査信号を出力するゲートドライバと、
入力映像信号を受信することにより前記ソースドライバと前記ゲートドライバとを駆動制御するコントローラと、
前記表示パネルの背面にあるバックライトと、を備え、
前記ゲートドライバは、ゲート線群毎に一括してゲート出力をイネーブルする２以上のゲートドライバから構成され、
前記コントローラは、
それぞれのゲートドライバに入力する出力イネーブル信号を独立に制御し、映像ライン間に黒又は中間調ラインを挿入した映像信号を前記ソースドライバに出力し、１回以上の映像ライン書込みのためのスタートパルス信号と、１回以上の黒又は中間調ライン書込みのためのスタートパルス信号とを１フレーム期間内に前記ゲートドライバに出力して、前記表示パネルの画面に１フレーム期間内で黒帯をスクロールさせると共に、
表示に応じて黒又は中間調挿入率を決定し、その決定した前記黒又は前記中間調挿入率に基づいて、映像ライン書込みのためのゲートドライバへのスタートパルス信号の入力に対する、黒又は中間調ライン書込みのためのゲートドライバへのスタートパルス信号の入力のタイミングを変更し、
１フレーム単位で前後する映像信号を比較することにより黒画像挿入率を切り替え、前記黒画像挿入率の切り替えによる輝度の変化を防ぐように前記バックライトの調光輝度を調節し、
更に前記コントローラは、１フレームを予め設定した複数のブロックに分割し、任意のブロックの画像が、前回から現在のフレームまでの間に移動した距離を算出し、算出した各ブロックの移動距離のうちの最大値に応じて、前記黒画像挿入率を連続的に切り替え、前記バックライトの調光輝度を調節することを特徴とするホールド型画像表示システム。
【請求項２】
表示パネルのソース線への映像信号をソースドライバで制御し、表示パネルのゲート線への信号をゲートドライバで制御することで表示パネル上に映像を駆動表示するホールド型画像表示システムの制御装置であって、
入力映像信号を受信することにより前記ソースドライバと前記ゲートドライバとを駆動制御するコントローラと、
ゲート線群毎に一括してゲート出力をイネーブルする２以上の前記ゲートドライバと、を備え、
前記コントローラは、
それぞれのゲートドライバに入力する出力イネーブル信号を独立に制御し、映像ライン間に黒又は中間調ラインを挿入した映像信号を前記ソースドライバに出力し、１回以上の映像ライン書込みのためのスタートパルス信号と、１回以上の黒又は中間調ライン書込みのためのスタートパルス信号とを１フレーム期間内に前記ゲートドライバに出力して、前記表示パネルの画面に１フレーム期間内で黒帯をスクロールさせると共に、
表示に応じて黒又は中間調挿入率を決定し、その決定した前記黒又は前記中間調挿入率に基づいて、映像ライン書込みのためのゲートドライバへのスタートパルス信号の入力に対する、黒又は中間調ライン書込みのためのゲートドライバへのスタートパルス信号の入力のタイミングを変更し、
１フレーム単位で前後する映像信号を比較することにより黒画像挿入率を切り替え、前記黒画像挿入率の切り替えによる輝度の変化を防ぐように前記バックライトの調光輝度を調節し、
更に前記コントローラは、１フレームを予め設定した複数のブロックに分割し、任意のブロックの画像が、前回から現在のフレームまでの間に移動した距離を算出し、算出した各ブロックの移動距離のうちの最大値に応じて、前記黒画像挿入率を連続的に切り替え、前記バックライトの調光輝度を調節することを特徴とするホールド型画像表示システムの制御装置。
【発明の詳細な説明】
【技術分野】
【０００１】
本発明は、画像表示装置及びその画像表示方法，画像表示装置駆動用コントローラに関し、特に、ホールド型の画像表示装置及びその画像表示方法，画像表示装置駆動用コントローラに関する。
【背景技術】
【０００２】
従来、液晶ディスプレイ（ＬＣＤ）は、ＣＲＴ（陰極線管）ディスプレイに比べて薄型で設置面積を占有しないため、広く一般に使用されている。しかし、ＬＣＤのようなホールド型表示装置においては、ＣＲＴディスプレイのようなインパルス型表示装置とは異なり、フレーム期間内で画像が持続されることから、動画映像が不鮮明になる不具合があった。
【０００３】
インパルス型表示装置の場合は、フレーム内の初期にパルスとして画像が表示されて、次のフレームまでの間は黒表示となるので、利用者の目の残像が調整されていた。一方、ホールド型表示装置の場合は、フレーム期間内で画像が静止画として保持表示され、１フレーム毎に画面を切り換えて動画を表示しているため、フレームからフレームにかけて静止画が切れ目無く切り換わっていることになり、利用者にとっては１つ前のフレーム画像が残像となり、そのずれた画像が重ね合わされた二重画像を知覚し動画ボケを認識してしまう。このような、ホールド型表示装置における動画ボケを改善するため、擬似的にインパルス型表示で駆動させるホールド型表示装置が特許文献１に開示されている。
【０００４】
しかし、特許文献１の液晶表示装置は、入力信号の１／２フレーム期間毎に黒表示と映像表示とを切り替えているため、これでは１フレームに対する黒挿入率が１／２に限定される。これにより、特許文献１の装置では、黒挿入のメリットである動画ボケ改善とデメリットである輝度低下とのバランスを勘案して個々の使用状況に応じた最適な黒挿入率に設定することはできなかった。
【０００５】
また、液晶パネルには幾つかの液晶駆動方式があり、ＴＮパネル，ＩＰＳパネル，ＶＡパネル，ＯＣＢパネルなど液晶駆動方式が異なれば応答特性が異なり、最適な黒挿入率も異なる。特許文献１の装置では、これら全ての方式に最適な黒挿入駆動の適用が困難であった。また、特許文献１の液晶表示装置においては、装置の駆動周波数を倍増し、映像情報を一時保管するためのフレームメモリが必要となるため、回路規模が増大しコストアップが発生した。
【０００６】
これに対し、黒挿入率の自由度を増し、回路規模の増大を回避した装置が特許文献２に開示されている。特許文献２の液晶表示装置は、図１４〜１６に示すように、各ゲートドライバにスタートパルス信号（ＶＳＰ）を個別に入力し、複数あるゲートドライバの半分に制御信号であるイネーブル信号（ＶＯＥ）を入力し、あとの半分のゲートドライバにはインバータによって極性反転されたイネーブル信号を入力する構成である。そして、これら半分に分けられたゲートドライバそれぞれから１本ずつのゲート線が選択され、一方のゲート線上の画素にはイネーブル信号に応じて映像信号が書き込まれ、他方のゲート線上の画素には極性反転されたイネーブル信号に応じて黒信号が書き込まれる構成とすることで、ゲートドライバ区切りの黒挿入率の変更を可能としている。
【先行技術文献】
【特許文献】
【０００７】
【特許文献１】特開平９‐１８８１４号公報
【特許文献２】特開２００１‐１６６２８０号公報
【発明の概要】
【発明が解決しようとする課題】
【０００８】
しかしながら、ＴＶで使われる解像度を製品化する場合、市場に多く出ているゲートドライバを用いると、例えばＶＡ（Ｖｉｄｅｏ  Ｇｒａｐｈｉｃｓ  Ａｒｒａｙ）ではゲートドライバを２個，ＸＧＡ（Ｅｘｔｅｎｄｅｄ  Ｇｒａｐｈｉｃｓ  Ａｒｒａｙ）やＷＸＧＡ（Ｗｉｄｅ  ＸＧＡ）ではゲートドライバを３個用いるのが一般的であるのに対し、特許文献２の装置の構成においては、ゲートドライバは偶数個限定となるため、製品適用時にゲートドライバ数選択の自由度が減り、場合によっては余分なゲートドライバＩＣが必要となり、無駄なコストが発生した。
【０００９】
また、特許文献２の装置では、一ゲートドライバが映像表示の走査を開始すると同時に、予め特定された他のゲートドライバが黒表示の走査を開始するような構成のため、黒挿入率はゲートドライバの区切りでしか設定できず１フレームに対する黒挿入率が固定されて動作しており、個々の使用状況に応じて最適な黒挿入率を可変設定することが困難であった。
【００１０】
さらに、特許文献２に開示された装置では、複数のフレームにまたがる黒画像の書き込みに対してブランキング期間の連続保持が考慮されていない。このため、図１５に示すように、黒信号の書込みが次のフレームにまたがるときにブランキング期間分の時間間隔が空き、画面上下で黒画像保持時間の差が生じ、その差が生じるラインを境にして画面表示に図１６のような輝度差が発生するという不都合もあった。
【００１１】
［目的］
そこで、本発明は、上記従来技術の不都合を改善し、ホールド型表示装置において、１フレーム内に黒画像を挿入し、現フレーム画像とその前のフレームの残像との重なり認識による動画ボケを軽減し動画像の画質を向上させるとともに、１フレームに対する黒挿入率を個々の使用状況に応じて可変設定することを、その目的とする。
【課題を解決するための手段】
【００１２】
上記目的を達成するため、本発明のホールド型画像表示システムは、前記ソース線に映像信号を出力するソースドライバと、前記ゲート線に走査信号を出力するゲートドライバと、入力映像信号を受信することにより前記ソースドライバと前記ゲートドライバとを駆動制御するコントローラと、前記表示パネルの背面にあるバックライトとを有し、前記ゲートドライバは、ゲート線群毎に一括してゲート出力をイネーブルする２以上のゲートドライバから構成され、前記コントローラは、それぞれのゲートドライバに入力する出力イネーブル信号を独立に制御し、映像ライン間に黒又は中間調ラインを挿入した映像信号を前記ソースドライバに出力し、１回以上の映像ライン書込みのためのスタートパルス信号と、１回以上の黒又は中間調ライン書込みのためのスタートパルス信号とを１フレーム期間内に前記ゲートドライバに出力して、前記表示パネルの画面に１フレーム期間内で黒帯をスクロールさせると共に、当該コントローラは、表示に応じて黒又は中間調挿入率を決定し、その決定した前記黒又は中間調挿入率に基づいて、映像ライン書込みのためのゲートドライバへのスタートパルス信号の入力に対する、黒又は中間調ライン書込みのためのゲートドライバへのスタートパルス信号の入力のタイミングを変更し、当該コントローラは、１フレーム単位で前後する映像信号を比較することにより黒画像挿入率を切り替え、前記黒画像挿入率の切り替えによる輝度の変化を防ぐように前記バックライトの調光輝度を調節し、更に前記コントローラは、１フレームを予め設定した複数のブロックに分割し、任意のブロックの画像が、前回から現在のフレームまでの間に移動した距離を算出し、算出した各ブロックの移動距離のうちの最大値に応じて、前記黒画像挿入率を連続的に切り替え、前記バックライトの調光輝度を調節することを特徴とする。
【００１３】
このような画像表示装置によれば、連続する映像フレームに跨るように黒信号の書き込みを行う黒挿入駆動を実行でき、黒画像表示走査を開始するタイミングによって映像表示時間と黒画像の表示時間との比率（以下、黒画像挿入率）を任意に設定することができる。
【００１４】
また、上記の画像表示装置において、上述した黒走査実行手段は、映像走査実行手段による映像表示走査に対する黒画像表示走査開始のタイミングを可変制御する機能を有してもよい。このようにすると、フレーム毎の黒画像挿入率を任意に変えることができる。
【００１５】
また、上記の画像表示装置は、黒走査実行手段による黒画像表示走査開始のタイミングを動作環境に応じて任意に設定する黒挿入率設定部を備えてもよい。このようにすると、フレーム毎の黒画像挿入率を個々の使用状況に応じてより大きい範囲から設定することができる。
【００１６】
また、本発明の画像表示装置は、複数のゲート線及び複数のソース線がそれぞれ交差し格子状に配置されこのゲート線とソース線との交点それぞれに画素が形成された構成の表示パネルと、ライン画像部分と黒画像部分とが交互に含まれた黒挿入映像信号を各ソース線に供給するソースドライバと、複数のゲート線を幾つかの群に分けたゲート線群それぞれに対して設けられ対応する各ゲート線にゲートオン信号を順次供給する複数のゲートドライバと共に、ソースドライバとゲートドライバとを駆動制御するコントローラとを有し、このコントローラは、出力イネーブル信号を各ゲートドライバへ個別に供給しゲートドライバそれぞれのゲート出力を独立して制御する機能と、ライン画像部分書込みのための映像用スタートパルスを出力する機能と、黒画像部分書込みのための黒表示用スタートパルスを１映像フレーム期間内の任意のタイミングに第１のゲートドライバへ出力する機能とを備えたことを特徴とする。
【００１７】
このような画像表示装置によれば、複数のゲート線を幾つかに分けたゲート線群それぞれに対してゲートドライバを設け、各ゲートドライバのイネーブルを個別に制御しており、尚且つ、映像用スタートパルスとは異なるタイミングに黒表示用スタートパルスをゲートドライバに入力しているので、黒挿入駆動における映像表示時間と黒画像の表示時間との比率（以下、黒画像挿入率）をドライバ区切りではなく、連続的に調整することを可能とした。ゲートドライバは２個以上なら奇数個でもよいので、製品適用時にゲートドライバ選択の自由度が増し、かつ必要最小限のゲートドライバで黒挿入率を自由に設定することを可能とした。
【００１８】
また、上記の画像表示装置において、上述した駆動制御部は、映像用スタートパルス出力に対する黒表示用スタートパルス出力のタイミングを可変制御する機能を備えてもよい。このようにすると、黒表示用スタートパルス出力のタイミングを変えることで、フレーム毎の黒画像挿入率を任意に変えることができる。
【００１９】
また、上記の画像表示装置において、上述したコントローラは、黒挿入映像信号のライン画像部分がソース線に供給されている期間のみゲートドライバのゲート出力を有効にさせる映像表示用イネーブル信号，または黒挿入映像信号の黒画像部分がソース線に供給されている期間のみゲートドライバのゲート出力を有効にさせる黒表示用イネーブル信号を各ゲートドライバへ個別に供給する機能を備えてもよい。このようにすると、各ゲートドライバに対し、映像表示走査又は黒画像表示走査の実行について個別に制御することができる。
【００２０】
また、上記の画像表示装置において、上述した各ゲートドライバは、映像表示用イネーブル信号に応じて黒挿入映像信号のライン画像部分のみを画素に書き込ませる映像表示用ゲートオン信号を対応するゲート線に供給し、黒表示用イネーブル信号に応じて黒挿入映像信号の黒画像部分のみを画素に書き込ませる黒表示用ゲートオン信号を対応するゲート線に供給する機能を備えてもよい。
【００２１】
このようにすると、各ゲートドライバは、映像表示走査又は黒画像表示走査を切り換えて実行することができる。
【００２２】
また、上記の画像表示装置において、上述したコントローラは、駆動制御部による黒表示用スタートパルス出力のタイミングを動作環境に応じて任意に設定する機能を備えてもよい。このようにすると、フレーム毎の黒画像挿入率を個々の使用状況に応じてより大きい範囲から設定することができる。
【００２３】
また、上記の画像表示装置において、上述したコントローラは、入力映像信号に基づいてフレーム期間毎の黒画像挿入率を判定し、判定された黒画像挿入率に基づいて黒表示用スタートパルス出力のタイミングを設定する機能を備えてもよい。このようにすると、黒画像挿入率を表示映像の内容に応じて設定することができる。
【００２４】
また、上記の画像表示装置において、上述したコントローラは、１フレーム毎に順次入力される入力映像信号の１フレーム分の情報を一時記憶し、入力映像信号のうちの一のフレームの映像信号と一時記憶された１つ前のフレームの映像信号とを比較し変化したデータに基づいて黒画像挿入率を判定する機能を備えてもよい。このようにすると、表示映像の内容に応じて最適な黒画像挿入率を判定することができる。
【００２５】
また、上記の画像表示装置においては、表示パネルの背面に配置されたバックライトを備えると共に、上述したコントローラが、１フレーム毎に順次入力される入力映像信号の１フレーム分の情報を一時記憶し、入力映像信号のうちの一のフレームの映像信号と一時記憶された１つ前のフレームの映像信号とを比較し変化したデータに基づいて黒画像挿入率とバックライトの調光輝度とを判定する機能を備えてもよい。
【００２６】
このようにすると、黒挿入に合わせてバックライトを調光するので、黒挿入の切り替えによる輝度の変化を防止しながら黒挿入駆動を実行できる。
【００２７】
また、上記の画像表示装置において、上述したコントローラは、映像用スタートパルス入力に従ってゲートオン信号を対応する各ゲート線へシフト出力するゲートドライバに対して、このシフト出力が終了するまで映像表示用イネーブル信号を供給し、それ以外のゲートドライバに対しては黒表示用イネーブル信号を供給する機能を備えてもよい。このようにすると、自由度の高いタイミングでのゲートドライバに対する黒表示用スタートパルス入力を可能にし、黒画像挿入率を連続的に調整することができる。
【００２８】
また、上記の画像表示装置において、上述したコントローラは、入力画像信号におけるライン画像部分の相互間に黒画像信号を挿入し黒挿入映像信号としてソースドライバへ出力する機能を備えてもよい。このようにすると、ソースドライバが各ソース線に対してライン画像部分と黒画像部分を交互に出力するための黒挿入映像信号を得ることができる。
【００２９】
また、上記の画像表示装置において、上述したコントローラは、入力映像信号におけるブランキング期間にも黒画像信号を含む黒挿入映像信号をソースドライバへ出力する機能を備えてもよい。このようにすると、複数の映像フレームにまたがる黒信号の書き込みに対して、フレーム間のブランキング期間も休まずに黒の書込みを行うので、表示パネル内の黒画像保持期間の差による面内輝度差をなくすことができる。
【００３０】
また、上記の画像表示装置において、上述したコントローラは、黒画像信号に代えて中間調信号を含む黒挿入映像信号をソースドライバへ出力する機能を備えてもよい。このようにすると、黒挿入駆動による輝度低下を軽減することができる。
【００３１】
次に、本発明の画像表示装置の駆動方法は、複数のゲート線及び複数のソース線がそれぞれ交差し格子状に配置されこのゲート線とソース線との交点それぞれに画素が形成された構成の表示パネルと、各ソース線に映像信号を供給するソースドライバと、複数のゲート線を幾つかの群に分けたゲート線群それぞれに対して設けられ各ゲート線に対してゲートオン信号を順次供給する複数のゲートドライバと、出力イネーブル信号を各ゲートドライバへ個別に供給する駆動制御部とを備えた画像表示装置の駆動方法であって、ライン画像部分と黒画像部分とが交互に含まれた黒挿入映像信号をソースドライバが各ソース線へ供給開始する黒挿入映像信号供給工程と、この黒挿入映像信号供給工程に同期して、ライン画像部分書込みのための映像用スタートパルスを駆動制御部から第１のゲートドライバが入力する映像用スタートパルス入力工程と、黒挿入映像信号のライン画像部分のみを画素に書き込ませる映像表示用ゲートオン信号を各ゲート線に対して順次供給する映像表示走査を第１のゲートドライバから順に実行する映像走査工程と、１映像フレーム期間内の任意のタイミングに黒画像部分書込みのための黒表示用スタートパルスを第１のゲートドライバが駆動制御部から入力する黒表示用スタートパルス入力工程と、黒挿入映像信号の黒画像部分のみを画素に書き込ませる黒表示用ゲートオン信号を各ゲート線に対して順次供給する黒画像表示走査を第１のゲートドライバから順に実行する黒走査工程とを設けたことを特徴とする。
【００３２】
また、上記の駆動方法において、上述した映像走査工程では、各ゲートドライバは、黒挿入映像信号のライン画像部分がソース線に供給されている期間のみゲートドライバのゲート出力を有効にさせる映像表示用イネーブル信号に応じて映像表示用ゲートオン信号を出力し、黒走査工程では、各ゲートドライバは、黒挿入映像信号の黒画像部分がソース線に供給されている期間のみゲートドライバのゲート出力を有効にさせる黒表示用イネーブル信号に応じて黒表示用ゲートオン信号を出力するようにしてもよい。
【００３３】
また、上記の駆動方法においては、駆動制御部による黒表示用スタートパルス出力のタイミングを動作環境に応じて任意に設定する黒挿入率設定工程を設けてもよい。
【００３４】
また、上記の駆動方法において、上述した黒挿入率設定工程では、１フレーム毎に順次入力される入力映像信号の１フレーム分の情報を一時記憶し、入力映像信号のうちの一のフレームの映像信号と一時記憶された１つ前のフレームの映像信号とを比較し変化したデータに基づいて黒画像挿入率を判定し、この判定された黒画像挿入率に基づいて黒表示用スタートパルス出力のタイミングを設定するようにしてもよい。
【００３５】
また、上記の駆動方法において、上述した黒挿入率設定工程では、１フレーム毎に順次入力される入力映像信号の１フレーム分の情報を一時記憶し、入力映像信号のうちの一のフレームの映像信号と一時記憶された１つ前のフレームの映像信号とを比較し変化したデータに基づいて黒画像挿入率と予め表示パネルの背面に装備されたバックライトの調光輝度とを判定し、この判定に基づいて黒表示用スタートパルス出力のタイミング及びバックライトの調光輝度を設定するようにしてもよい。
【００３６】
また、上記の駆動方法は、上述した黒挿入映像信号供給工程前に、入力画像信号におけるライン画像部分の相互間に黒画像信号を挿入し黒挿入映像信号としてソースドライバへ出力する黒挿入信号変換工程を設けてもよい。
【００３７】
また、上記の画像表示装置の駆動方法において、上述した黒挿入映像信号は、入力映像信号におけるブランキング期間にも黒画像信号を含むことを特徴とする。
【００３８】
また、上記の画像表示装置の駆動方法において、上述した黒挿入映像信号は、黒画像信号に代えて中間調信号を含むことを特徴とする。
【００３９】
このような画像表示装置の駆動方法によれば、上記の画像表示装置と同様に、黒画像挿入率を、動画ボケを改善する効果と輝度低下のデメリットとのバランスを勘案して微細に設定することができる。
【００４０】
次に、本発明の画像表示装置駆動用コントローラは、複数のゲート線及び複数のソース線がそれぞれ交差し格子状に配置されこのゲート線とソース線との交点それぞれに画素が形成された構成の表示パネルと、各ソース線に映像信号を供給するソースドライバと、複数のゲート線を幾つかの群に分けたゲート線群それぞれに対して設けられ対応する各ゲート線にゲートオン信号を順次供給するゲートドライバとを備えた画像表示装置にあって、当該画像表示装置の動作を制御するコントローラであり、ライン画像部分と黒画像部分とが交互に含まれた黒挿入映像信号をソースドライバから各ソース線へ出力させる機能と、出力イネーブル信号を各ゲートドライバへ個別に供給しゲートドライバそれぞれのゲート出力を独立して制御する機能と、ライン画像部分書込みのための映像用スタートパルスを第１のゲートドライバへ出力する機能と、黒画像部分書込みのための黒表示用スタートパルスを１映像フレーム期間内の任意のタイミングに第１のゲートドライバへ出力する機能とを備えたことを特徴とする。
【００４１】
また、上記の画像表示装置駆動用コントローラは、黒挿入映像信号のライン画像部分がソース線に供給されている期間のみゲートドライバのゲート出力を有効にさせる映像表示用イネーブル信号，または黒挿入映像信号の黒画像部分がソース線に供給されている期間のみゲートドライバのゲート出力を有効にさせる黒表示用イネーブル信号を各ゲートドライバへ個別に供給する。
【００４２】
また、上記の画像表示装置駆動用コントローラは、黒表示用スタートパルス出力のタイミングを動作環境に応じて任意に設定する。
【００４３】
また、上記の画像表示装置駆動用コントローラは、１フレーム毎に順次入力される入力映像信号の１フレーム分の情報を一時記憶し、入力映像信号のうちの一のフレームの映像信号と一時記憶された１つ前のフレームの映像信号とを比較し変化したデータに基づいてフレーム期間毎の黒画像挿入率を判定し、この判定された黒画像挿入率に基づいて黒表示用スタートパルス出力のタイミングを設定する。
【００４４】
また、上記の画像表示装置駆動用コントローラは、１フレーム毎に順次入力される入力映像信号の１フレーム分の情報を一時記憶し、入力映像信号のうちの一のフレームの映像信号と一時記憶された１つ前のフレームの映像信号とを比較し変化したデータ数に基づいて黒画像挿入率と予め表示パネルの背面に装備されたバックライトの調光輝度とを判定し、この判定に基づいて黒表示用スタートパルス出力のタイミング及びバックライトの調光輝度を設定するように構成してもよい。
【００４５】
また、上記の画像表示装置駆動用コントローラは、入力画像信号におけるライン画像部分の相互間に黒画像信号を挿入し黒挿入映像信号としてソースドライバへ出力する。
【００４６】
また、上記の画像表示装置駆動用コントローラは、入力映像信号におけるブランキング期間にも黒画像信号を挿入した黒挿入映像信号をソースドライバへ出力する。
【００４７】
また、上記の画像表示装置駆動用コントローラは、黒画像信号に代えて中間調信号を入力画像信号に挿入した黒挿入映像信号をソースドライバへ出力する。
【００４８】
このような画像表示装置駆動用コントローラによれば、上記の画像表示装置と同様に、黒画像挿入率を、動画ボケを改善する効果と輝度低下のデメリットとのバランスを勘案して微細に設定することができる。
【発明の効果】
【００４９】
本発明は以上のように構成され機能するため、これにより、ホールド型表示装置において、動画ボケを改善する効果と輝度低下のデメリットとのバランスを勘案しながら、１フレーム期間に対する黒挿入率を微細に調整することができ、動画像の画質を向上させることができる。
【発明を実施するための形態】
【００５０】
以下、本発明における一実施形態を、図面を参照して説明する。
【００５１】
図１（ａ）は、本発明にかかる第１実施形態の画像表示装置の構成を示す図である。図１に示すように、本第１実施形態の画像表示装置は、ｍ（ｍは自然数）本のゲート線Ｖ１〜Ｖｍ及びｎ（ｎは自然数）本のソース線Ｈ１〜Ｈｎがそれぞれ交差し格子状に配置されこのゲート線Ｖ１〜Ｖｍとソース線Ｈ１〜Ｈｎとの交点それぞれに画素６が形成された構成の表示パネル１と、各ソース線Ｈ１〜Ｈｎに接続し映像信号を供給するソースドライバ４と、複数のゲート線Ｖ１〜Ｖｍを幾つかの群に分けそのゲート線群それぞれに対して設けられ対応するゲート線Ｖ１〜Ｖｍにゲートオン信号（Ｖｇ）を順次供給する複数のゲートドライバ５Ａ〜５Ｎとを備えている。
【００５２】
図１に示すように、上からｉ本のゲート線Ｖ１〜Ｖｉはゲートドライバ５Ａに接続され、ｉ＋１本目からｊ本目のゲート線Ｖ（ｉ＋１）〜Ｖｊはゲートドライバ５Ｂに接続されており、最後ｌ＋１本目からｍ本目までのゲート線Ｖ（ｌ＋１）〜Ｖｍはゲートドライバ５Ｎに接続されている（ｊ＋１本目からｌ本目までについては図示せず）。
【００５３】
図１（ｂ）は、図１（ａ）に示す１つの画素６の回路を拡大して示した図である。本第１実施形態における表示パネル１を形成する画素６の回路は、薄膜トランジスタ（ＴＦＴ）１２のソース電極がソース線Ｈ１〜Ｈｎに接続され、ＴＦＴ１２のゲート電極がゲート線Ｖ１〜Ｖｍに接続され、ＴＦＴ１２のドレイン電極が一方のガラス基板に形成されている画素電極１３に接続されており、一方のガラス基板に形成された画素電極１３と他方のガラス基板に掲載された共通電極１５との間に液晶層１４が挟まれている構成である。
【００５４】
画素電極１３と共通電極１５との電位差により液晶層１４の光透過率が制御されて映像表示が行われるが、映像信号が画素６に書き込まれるときには、ゲート線Ｖ１〜Ｖｍを介して伝送されるゲートオン信号（Ｖｇ１〜Ｖｇｍ）がＴＦＴ１２をオン状態にし、これによりソース線Ｈ１〜Ｈｎからの映像信号に応じた階調電圧が画素電極１３に印加されて、一定の電圧に設定されている共通電極１５と階調電圧が印加された画素電極１３との電位差によって液晶層１４の光透過率を制御し映像信号に基づいた映像表示を実現する。
【００５５】
さらに、本第１実施形態の画像表示装置は、ソースドライバ４及びゲートドライバ５Ａ〜５Ｎの動作を制御するコントローラ７を備えており、このコントローラ７は、入力映像信号に黒画像信号を挿入し映像信号部分と黒画像信号部分とを水平走査期間内に含む黒挿入映像信号を作成し出力する黒挿入信号変換部８と、黒挿入信号変換部８からの黒挿入映像信号をソースドライバ４へ出力する駆動制御部９とを備えている。
【００５６】
図２に示すように、１フレーム期間はゲート線Ｖ１〜Ｖｍの数（ｍ）と同数分の書込み期間（水平走査期間）に分けられ、入力映像信号の書込み期間に対応する部分をライン画像部分（水平走査期間部分）とすると、黒挿入信号変換部８は、入力映像信号におけるライン画像部分の相互間に黒画像信号を挿入すると共に、入力映像信号におけるブランキング期間にも同様に黒画像信号を挿入する機能を有している。図２では、ブランキング期間にダミー信号の出力がある入力映像信号に黒画像信号を挿入する場合を示しているが、これに限らず、黒挿入信号変換部８は、ブランキング期間にダミー信号の出力が無い入力映像信号の場合でも同様に黒画像信号を挿入する。一般に、映像信号は、ブランキング期間にダミー信号の出力があったり、何も出力がなかったりと様々な手法がある。
【００５７】
ソースドライバ４は、黒挿入映像信号に従ってソース線Ｈ１〜Ｈｎにライン画像部分と黒画像部分を交互に出力することでソース線駆動手段として機能している。
【００５８】
ここで、本第１実施形態では、黒挿入信号変換部８によって作成された黒挿入画像信号をソースドライバ４が入力しソース線Ｈ１〜Ｈｎへ倍速駆動で出力するように構成したが、これに限らず、ソースドライバ４がソース線Ｈ１〜Ｈｎへの出力電荷を黒表示に応じた階調電荷にする機能を備え、図７に示すように、一定の間隔で出力電荷を黒表示に応じた階調電荷に切り替えながら入力映像信号をソース線Ｈ１〜Ｈｎへ出力するように構成してもよい。このようにすると、黒挿入信号変換部８を装備しなくてよく、すなわち黒画像挿入に必要であるラインメモリが削減でき、黒画像挿入に伴うソースドライバ４の駆動周波数の倍増を行わなくてよい。
【００５９】
駆動制御部９は、ゲートドライバ５Ａ〜５Ｎにおけるゲート出力の開閉を制御するための出力イネーブル信号をゲートドライバ５Ａ〜５Ｎへ個別に供給する機能を有しており、具体的には、黒挿入映像信号のライン画像部分がソース線Ｈ１〜Ｈｎに供給されている期間のみゲートオン信号の出力を有効にさせる映像表示用イネーブル信号（ＶＯＥ＿ｉ），または黒挿入映像信号の黒画像部分がソース線Ｈ１〜Ｈｎに供給されている期間のみゲートオン信号の出力を有効にさせる黒表示用イネーブル信号（ＶＯＥ＿ｂ）をゲートドライバ５Ａ〜５Ｎへ個別に供給する機能を有している。
【００６０】
これにより、ゲートドライバ５Ａ〜５Ｎそれぞれは、接続されたゲート線Ｖ１〜Ｖｉ，Ｖ（ｉ＋１）〜Ｖｊ，…，Ｖ（ｌ＋１）〜Ｖｍに対する出力を一括して制御できる機能を有し、具体的には、駆動制御部９からのＶＯＥ＿ｉに応じてゲートオン信号を黒挿入映像信号のライン画像部分のみを画素６に書き込ませるパルス幅の映像表示用ゲートオン信号にしてゲート線Ｖ１〜Ｖｉ，Ｖ（ｉ＋１）〜Ｖｊ，…，Ｖ（ｌ＋１）〜Ｖｍに順次供給し映像表示走査を順次実行する映像走査手段としての機能と、ＶＯＥ＿ｂに応じてゲートオン信号を黒挿入映像信号の黒画像部分のみを画素６に書き込ませるパルス幅の黒表示用ゲートオン信号にしてゲート線Ｖ１〜Ｖｉ，Ｖ（ｉ＋１）〜Ｖｊ，…，Ｖ（ｌ＋１）〜Ｖｍに順次供給して黒画像表示走査を順次実行する黒走査手段としての機能とを有している。
【００６１】
また、駆動制御部９は、ゲートドライバ５Ａに対して、出力イネーブル信号によるゲート出力の制御と連携し、映像信号書込みのための映像表示用走査スタートパルス（ＶＳＰ＿ｉ）と、黒画像信号書込みのための黒表示用走査スタートパルス（ＶＳＰ＿ｂ）とを１フレーム期間に異なるタイミングで１回ずつ出力する機能を有している。駆動制御部９は、映像表示走査の開始時にＶＳＰ＿ｉをゲートドライバ５Ａへ出力し同時にゲートドライバ５ＡへＶＯＥ＿ｉの供給を開始する。そして、ゲートドライバ５Ａにおいて映像表示走査が終了するとゲートドライバ５ＡへＶＯＥ＿ｂの供給を開始し、ＶＳＰ＿ｉによって特定される１映像フレーム期間内の任意のタイミングにＶＳＰ＿ｂをゲートドライバ５Ａへ出力する。
【００６２】
さらに、コントローラ７は、駆動制御部９による黒表示用スタートパルス（ＶＳＰ＿ｂ）出力のタイミングを動作環境に応じて任意に設定する黒挿入率設定部１０を備えている。
【００６３】
この黒挿入率設定部１０は、入力映像信号を参照しフレーム期間毎の黒画像挿入率を判定する機能を備え、判定された黒画像挿入率に対応して駆動制御部９によるＶＳＰ＿ｂ出力のタイミングを設定する機能を有している。具体的に黒挿入率設定部１０は、１フレーム毎に順次入力される入力映像信号の１フレーム分の情報を一時記憶するフレームメモリ（図示せず）と、入力映像信号のうちの一のフレームの映像信号とフレームメモリに記憶された当該一のフレームの１つ前のフレームの映像信号とを比較し変化したデータに基づいて最適な黒画像挿入率を判定する判定部（図示せず）とを備えて構成されている。
【００６４】
これにより、表示パネル１の駆動方式や使用状況等に適したフレーム期間毎の黒画像挿入率を判定し、この判定された黒画像挿入率を実現できるＶＳＰ＿ｂ出力のタイミングを設定することができる。また、ここで設定するタイミングは、１つのゲートドライバで映像信号書込みと黒画像信号書込みの画素ラインが同時に選択されることのないタイミングである。
【００６５】
これにより、ゲートドライバ５Ａは、黒挿入率設定部１０で設定されたタイミングに駆動制御部９からＶＳＰ＿ｂを入力し、予め供給されているＶＯＥ＿ｂに基づいてＶＳＰ＿ｂを黒表示用ゲートオン信号としてゲート線Ｖ１〜Ｖｉへ順次供給し、この走査が終了するとＶＳＰ＿ｂをゲートドライバ５Ｂへシフト出力する。このような走査をゲートドライバ５Ａ〜５Ｎが順次行うことで、黒挿入率設定部１０で判定された１フレーム毎の黒画像挿入率を実現する。
【００６６】
また、駆動制御部９は、ソースドライバ４に対して黒挿入映像信号（ｄａｔａ）と共に、ソースドライバ４を駆動制御するための信号である信号スタートパルス（ＨＳＰ），水平クロック信号（ＨＣＫ），ラッチ信号（ＤＬＰ），極性反転制御信号（ＰＯＬ）を供給し、ゲートドライバ５Ａ〜５Ｎに対してゲートドライバ５Ａ〜５Ｎを駆動制御するための信号である走査スタートパルス（ＶＳＰ＿ｉ又はＶＳＰ＿ｂ），垂直クロック信号（ＶＣＫ），イネーブル信号（ＶＯＥ＿ｉ又はＶＯＥ＿ｂ）を供給している。
【００６７】
ソースドライバ４は、一般に使われているものと同様の機能を有している。例えば、ＨＳＰの入力によりｄａｔａ信号の取り込みを開始し、ＨＣＫと同期して内部のシフトレジスタにｄａｔａ信号を順次蓄積していく。そして、ＤＬＰの入力によりｄａｔａ信号を確定し、同時にＰＯＬに応じて基準電圧からの正負を確定して、ｄａｔａ信号に応じた階調電圧をソース線Ｈ１〜Ｈｎに出力する。
【００６８】
極性反転制御信号（ＰＯＬ）は、ソースドライバ４からソース線Ｈ１〜Ｈｎへ出力される階調電圧の電圧極性を反転させる制御信号である。ＰＯＬを制御することにより液晶へ直流電圧が印加されることを防止している。
【００６９】
ここで、上述したコントローラ７における黒挿入信号変換部８，駆動制御部９，黒挿入率設定部１０については、その機能内容をプログラム化しコンピュータに実行させる構成にしてもよい。
【００７０】
図３は、本第１実施形態の画像表示装置を伝搬する信号のタイミングチャートである。
【００７１】
図３（ａ）は、ゲートドライバ５Ａに対応するゲート線Ｖ１〜Ｖｉ上の画素６にライン画像信号を供給しゲートドライバ５Ｂに対応するゲート線Ｖ（ｉ＋１）〜Ｖｊ上の画素６に黒画像信号を供給する場合を例にしたタイミングチャートであり、図３（ｂ）は、図３（ａ）とは逆に、ゲートドライバ５Ａに対応するゲート線Ｖ１〜Ｖｉ上の画素６に黒画像信号を供給しゲートドライバ５Ｂに対応するゲート線Ｖ（ｉ＋１）〜Ｖｊ上の画素６にライン画像信号を供給する場合を例にしたタイミングチャートである。
【００７２】
図３（ａ）に示すように、対応するゲート線Ｖ１〜Ｖｉ上の画素６にライン画像信号を供給する場合のゲートドライバ５Ａには、ＶＯＥ＿ｉが入力され、これにより、ゲートドライバ５Ａからは、ゲートオン信号がソースドライバ４のライン画像信号出力期間と同一のパルス幅の映像表示用ゲートオン信号に変換されてゲート線Ｖ１〜Ｖｉに順次供給される。
【００７３】
一方で、ゲート線Ｖ（ｉ＋１）〜Ｖｊ上の画素６に黒画像信号を供給する場合のゲートドライバ５Ｂには、ＶＯＥ＿ｂが入力され、これにより、ゲートドライバ５Ｂからは、ゲートオン信号がソースドライバ４の黒画像信号出力期間と同一のパルス幅の黒表示用ゲートオン信号に変換されゲート線Ｖ（ｉ＋１）〜Ｖｊに順次供給される。
【００７４】
このようにすることで、本第１実施形態では、１Ｈ期間（１水平走査期間）に異なる画素ラインに対して映像信号又は黒画像信号を書き込むことができる。
【００７５】
次に、本第１実施形態の画像表示装置の動作について説明する。図４は、本実施形態の画像表示装置の動作について説明する図である。ここで、本発明の画像表示装置の駆動方法についても各工程を示して同時に説明する。
【００７６】
まず、黒挿入率設定部１０によって入力された映像信号を基にフレーム期間毎の黒画像挿入率が判定され設定される（黒挿入率設定工程）。一方で、黒挿入信号変換部８において、入力映像信号のライン画像部分の相互間に黒画像信号が挿入され黒挿入映像信号として駆動制御部９へ出力される（黒挿入信号変換工程）。
【００７７】
そして、駆動制御部９から各ソースドライバ４へ黒挿入映像信号が出力されると、これに同期して各種駆動制御信号がゲートドライバ５Ａ〜５Ｎ及び各ソースドライバ４へ出力される。
【００７８】
ここで、本第１実施形態では、一括してゲート出力をイネーブルできるゲートドライバを複数使用し、ゲートドライバ５Ａ〜５Ｎは、駆動制御部９からの独立した出力イネーブル信号（ＶＯＥ＿ｉ又はＶＯＥ＿ｂ）により制御される。
【００７９】
図２に示すとおり、ソースドライバ４には、駆動制御部９から黒挿入映像信号が入力される。ソースドライバ４は、入力された黒挿入映像信号に基づいてソース線Ｈ１〜Ｈｎに映像信号と黒画像信号とを交互に出力する（黒挿入映像信号供給工程）。
【００８０】
図４に示すように、ゲートドライバ５Ａには、フレームの開始を示すＶＳＰ＿ｉがＶＯＥ＿ｉと共に駆動制御部９から入力され（映像用スタートパルス入力工程）、このＶＳＰ＿ｉは、同様に入力されたクロック信号（ＶＣＫ）に同期してゲートオン信号としてゲート線Ｖ１〜Ｖｉをシフトしていき、各ゲート線Ｖ１〜Ｖｉ上の画素６のＴＦＴ１２をＯＮにしていく。この間、ゲートドライバ５ＡにはＶＯＥ＿ｉが入力されている。
【００８１】
続いて、ゲートドライバ５Ａでの走査が終了すると、ＶＳＰ＿ｉがゲートドライバ５Ｂにシフト入力され、この入力と同時にＶＯＥ＿ｉが駆動制御部９からゲートドライバ５Ｂに入力される。ゲートドライバ５Ｂでは、ＶＳＰ＿ｉがゲートオン信号として対応するゲート線Ｖ（ｉ＋１）〜Ｖｊをシフトしていき、このシフトしていく期間は、ゲートドライバ５ＢにおいてもＶＯＥ＿ｉが入力されている。その後、同様にして、ゲートドライバ５ＮにＶＳＰ＿ｉがシフト入力され、同時にＶＯＥ＿ｉが駆動制御部９から入力される。ゲートドライバ５ＮにおいてもＶＳＰ＿ｉがゲートオン信号として対応するゲート線Ｖ（ｌ＋１）〜Ｖｍをシフトしていき、このシフトしていく期間は、ＶＯＥ＿ｉが入力されている（映像走査工程）。また、この期間以外のゲートドライバ５Ａ〜５Ｎには、ＶＯＥ＿ｂが入力されている。
【００８２】
また、黒挿入率設定部１０により決定されたタイミングに従って、フレーム期間内に一回、ゲートドライバ５Ａに駆動制御部９からのＶＳＰ＿ｂが入力され（黒表示用スタートパルス入力工程）、同じくゲートドライバ５Ａのクロック信号（ＶＣＫ）によりＶＳＰ＿ｂがゲートオン信号として対応するゲート線Ｖ１〜Ｖｉをシフトし各ゲート線Ｖ１〜Ｖｉ上の画素６のＴＦＴをＯＮにしていく。このような黒画像表示走査の間、ゲートドライバ５Ａには、ＶＯＥ＿ｂが入力されている。
【００８３】
ゲートドライバ５Ａでの黒画像表示走査が終了すると、ＶＳＰ＿ｂがゲートドライバ５Ｂにシフト入力され、ＶＳＰ＿ｂがゲートオン信号として対応するゲート線Ｖ（ｉ＋１）〜Ｖｊをシフトしていく。このシフトしている期間は、ゲートドライバ５ＢにおいてもＶＯＥ＿ｂが入力されている。その後、同様にして、ＶＳＰ＿ｂがゲートドライバ５Ｎにシフト入力され、ゲートドライバ５Ｎでの黒画像表示走査が開始される（黒走査工程）。
【００８４】
このように本第１実施形態では、１フレーム期間内に１回の映像信号書込みのための映像表示用走査スタートパルス（ＶＳＰ＿ｉ）入力と、１回の黒画像信号書込みのための黒表示用走査スタートパルス（ＶＳＰ＿ｂ）入力とをゲートドライバ５Ａに対して行う。
【００８５】
このような構成とすることで、図５（ｂ）に示すように、画面表示は１フレーム間に画面を黒帯がスクロールする黒画像挿入駆動が実現できる。この黒帯の幅は、映像表示用走査スタートパルス（ＶＳＰ＿ｉ）入力に対する黒表示用走査スタートパルス（ＶＳＰ＿ｂ）入力のタイミングによって決定する。また、本第１実施形態は、図４に示すように、フレーム間のブランキング期間も黒画像信号の書込みを行い続けることにより、画面の全ての画素６で、映像信号の保持時間と黒画像信号の保持時間とが一定となり、保持時間の差による面内輝度差をなくすことができる。
【００８６】
ここで、ＶＳＰ＿ｂは、図６に示す黒用ＶＳＰ設定可能範囲内のように、１つのゲートドライバで同時に映像信号と黒画像信号の画素ラインが選択されることのないタイミングであれば、任意のタイミングで入力可能であり、従来の表示装置のようなゲートドライバの切れ目のタイミングなどの制約がない。このため、黒挿入率は微細な調整が可能であり、黒画像挿入のメリットである動画ボケを改善する効果とデメリットである輝度低下のバランスとを勘案し、使用環境に応じた最適な黒挿入率を設定することができる。
【００８７】
また、第１実施形態では、表示パネル１がＴＮパネル、ＩＰＳパネル、ＶＡパネル、ＯＣＢパネルなど、どの液晶駆動方式であっても最適な黒挿入駆動を適用することが可能である。
【００８８】
ここで、本第１実施形態では、画像表示装置において、各表示フレーム画像の相互間に黒画像表示を挿入することにより動画ボケを軽減しているが、黒表示に限定するものではなく、グレーなどの中間調表示を挿入するようにしてもよい。この場合、動画ボケの改善に加え、輝度の低下も抑制できるが色度域とコントラストの低下が起こるため、それを勘案して最適な中間調挿入率を設定する構成となる。
【００８９】
また、本第１実施形態では、コントローラ７が、黒挿入率設定部１０を備え、この黒挿入率設定部１０は、入力映像信号を参照してフレーム期間毎の黒画像挿入率を判定し、判定された黒画像挿入率に対応してゲートドライバ５Ａ〜５Ｎにおける黒映像表示用ゲートオン信号の供給開始のタイミングを設定しているが、これに限らず、図１（ｃ）示すように、コントローラ７が、ユーザの操作等により外部入力されたタイミングデータに従って、ゲートドライバ５Ａ〜５Ｎにおける黒表示用ゲートオン信号の出力開始のタイミング、すなわちゲートドライバ５ＡへのＶＳＰ＿ｂ出力のタイミングを設定し、設定値を駆動制御部９へ出力する黒挿入率設定部１０ａを、黒挿入率設定部１０に代えて備えるように構成してもよい。
【００９０】
以上のような本第１実施形態は、ゲートドライバ５ＡにＶＳＰ＿ｂを入力するタイミングを変えることで黒画像挿入率を変更することができ、さらにＶＳＰ＿ｂを入力しなければ黒画像挿入を行わない通常の駆動にすることも可能であり、黒画像挿入率を容易に切り替えることが可能である。よって、モニタ用途で使う時は、黒挿入を行わずにフリッカの少なく明るい画面を提供し、ＴＶなどの動画表示の場合は黒挿入を行い動画ボケの少ない画面を提供するなど、ユーザの使用状況に応じた表示を提供することが可能である。
【００９１】
さらに、風景などの静的な画面からスポーツのように動きの激しい画面など映像のシーンによって黒画像挿入率を連続的に切り替えるなどの応用も可能である。
【００９２】
次に、本発明にかかる第２実施形態について説明する。
【００９３】
図８は、本発明にかかる第２実施形態の画像表示装置の構成を示す図である。前述した図１に示す第１実施形態と同様の構成要素には同一符号を付してある。図８に示すように、本第２実施形態は、前述した第１実施形態と同様の構成に加えて、表示パネル１のユーザから見て背面にバックライト２１を設置している。そして、黒挿入率設定部２０が、１フレーム毎に順次入力される入力映像信号の１フレーム分の情報を一時記憶し、入力映像信号のうちの一のフレームの映像信号と一時記憶された１つ前のフレームの映像信号とを比較し変化したデータ数に基づいて黒画像挿入率とバックライトの調光輝度とを判定する機能を備え、駆動制御部２９が、黒挿入率設定部２０の判定に基づいてバックライト２１の調光輝度を調節する機能を備えている。
【００９４】
図９は、本第２実施形態の画像表示装置における黒挿入設定部２０の動作を示すフローチャートである。
【００９５】
黒挿入設定部２０は、現フレームデータｄａｔａ（ｎ）とその１つ前のフレームデータｄａｔａ（ｎ−１）とを比較し、変化したデータを１フレーム間カウントする（図９：ステップＳ９１〜Ｓ９３）。カウントした情報は例えば数フレーム間移動平均して平滑化し（図９：ステップＳ９５）、閾値判別することで（図９：ステップＳ９６）、静的な画像か動的な画像かを判別する。
【００９６】
判別結果が静的な映像の場合は、例えば黒挿入を行わず、バックライト２１の調光輝度を５０％にし（図９：ステップＳ９８）、動的な映像画像の場合は、例えば黒挿入率を５０％にし動画ボケを改善し、バックライト２１の調光輝度を１００％に切り替える（図９：ステップＳ９７）。
【００９７】
このような構成とすることで、映像のシーンによって黒挿入率を切り替え、必要に応じ動画ボケを改善する事が可能である。黒画像挿入にあわせバックライト２１を調光する理由は、図１０に示すように黒画像挿入は動画ボケの改善と引き換えにパネルの透過効率が下がるためである。このようにすることで、黒挿入の切り替えによる輝度の変化を防ぐとともに、黒画像挿入が不必要な静的な映像の場合、バックライト２１の調光を行うことで消費電力の低減を図ることが可能である。
【００９８】
本第２実施形態における黒挿入設定部２０の動作の別の例を図１１から図１３に示す。
【００９９】
黒挿入設定部２０が黒画像挿入率とバックライトの調光輝度とを判定する別の方法は、まず、図１１に示すように、一フレームを予め設定した複数のブロックに分割する。そして、図１２に示すように、任意の一ブロックの画像が前回から現在のフレームまでの間に移動した距離を算出する。
【０１００】
この距離の算出方法は、例えば前回のフレームのブロックと、平均絶対値誤差が最小のブロック位置を木探索法等を用いて現在のフレーム内から検出し、そのブロックの移動した距離を求めればよい。
【０１０１】
算出した各ブロックの移動距離のうちの最大値と、その時の黒挿入率及びバックライト２１の調光輝度を図１３に示す。このような構成とすることで、映像のシーンの移動に応じて黒挿入率を連続的に切り換え、動きの激しさに応じて必要最小限の黒画像挿入を行うことで、バックライトの消費電力も低減する事が可能である。
【図面の簡単な説明】
【０１０２】
【図１】（ａ）は、本発明にかかる第１実施形態の画像表示装置の構成を示す図、（ｂ）は画素の構造を示す断面図、（ｃ）はコントローラの別の構成例を示す図である。
【図２】図１に開示した実施形態における黒挿入画像信号の作成工程を示す説明図である。
【図３】図１に開示した実施形態の画像表示装置を伝搬する信号のタイミングチャートである。
【図４】図１に開示した実施形態の画像表示装置の動作を示す説明図である。
【図５】図１に開示した実施形態の画像表示装置における動画像表示について示す説明図である。
【図６】図１に開示した実施形態の画像表示装置の動作を示す説明図である。
【図７】図１に開示した実施形態における黒挿入画像信号の作成工程の別の例を示す説明図である。
【図８】本発明にかかる第２実施形態の画像表示装置の構成を示す図である。
【図９】図８に開示した実施形態における黒挿入設定部の動作を示すフローチャートである。
【図１０】本発明にかかる表示パネルにおける黒画像挿入率と動画ボケ及び透過効率との関係特性を示す図である。
【図１１】図８に開示した実施形態における黒挿入設定部の動作を示す図である。
【図１２】図８に開示した実施形態における黒挿入設定部の動作を示す図である。
【図１３】図８に開示した実施形態における黒挿入設定部が算出した各ブロックの移動距離最大値と黒挿入率及びバックライトの調光輝度との関係特性を示す図である。
【図１４】従来の画像表示装置の構成を示す図である。
【図１５】従来の画像表示装置の動作を示す説明図である。
【図１６】従来の画像表示装置における表示画面を示す説明図である。
【符号の説明】
【０１０３】
１  表示パネル
４  ソースドライバ
５Ａ〜５Ｎ  ゲートドライバ
６  画素
７，２７  コントローラ
８  黒挿入信号変換部
９，２９  駆動制御部
１０，１０ａ，２０  黒挿入率設定部
１２  薄膜トランジスタ（ＴＦＴ）
１３  画素電極
１４  液晶層
１５  共通電極
２１  バックライト
【図１】
2014032412.tif 000003
【図２】
2014032412.tif 000004
【図３】
2014032412.tif 000005
【図４】
2014032412.tif 000006
【図５】
2014032412.tif 000007
【図６】
2014032412.tif 000008
【図７】
2014032412.tif 000009
【図８】
2014032412.tif 000010
【図９】
2014032412.tif 000011
【図１０】
2014032412.tif 000012
【図１１】
2014032412.tif 000013
【図１２】
2014032412.tif 000014
【図１３】
2014032412.tif 000015
【図１４】
2014032412.tif 000016
【図１５】
2014032412.tif 000017
【図１６】
2014032412.tif 000018